(57)【特許請求の範囲】
【請求項１】
上部部分及び下部部分を有し、前記上部部分の上面及び前記下部部分の底面が互いに対向する直平行六面体で構成され、空の場合には前記直平行六面体が折り畳まれている可撓性バッグであって、
前記上面に設けられた少なくとも１つの固定手段を備えており、
前記空の場合に、前記直平行六面体が折りたたまれて前記上部部分は２つの上部翼部を形成し、該２つの上部翼部は、前記固定手段によって一緒に保持され、なおかつ前記下部部分から離れた状態であり、
前記固定手段は、前記下部部分がある量まで充填されると開放され、前記固定手段により一緒に保持されている前記２つの上部翼部が接触を失うことになるように設計されている可撓性バッグ。
【請求項２】
前記空の場合に、前記直平行六面体が折りたたまれて前記上部部分が前記２つの上部翼部を形成するほか、さらに前記下部部分が２つの下部翼部を形成し、
前記２つの上部翼部及び前記２つの下部翼部のうち、前記２つの上部翼部のみが、前記固定手段によって一緒に保持され、なおかつ前記下部翼部から離れた状態である、請求項１に記載の可撓性バッグ。
【請求項３】
前記直平行六面体を形成する４枚のシートを有し、
該４枚のシートが、前記直平行六面体の前記上面、前記底面、２つの対向する側面、正面及び背面を形成しており、
前記２つの対向する側面、前記正面及び前記背面のうち、前記上面側の部分と、前記上面が、前記上部翼部を形成し、
前記２つの対向する側面、前記正面及び前記背面のうち、前記底面側の部分と、前記底面が、前記下部翼部を形成する、請求項２に記載の可撓性バッグ。
【請求項４】
前記４枚シートの各々が、左部分、中央部分及び右部分を有し、前記４枚のシートの前記中央部分は、前記直平行六面体の前記上面、前記底面、前記正面及び前記背面を形成し、前記４枚のシートの前記左部分及び前記右部分は、前記２つの対向する側面を形成する、請求項３に記載の可撓性バッグ。
【請求項５】
前記固定手段は、少なくとも１対の係合固定手段で構成され、該少なくとも１対の係合固定手段は、前記可撓性バッグの少なくとも２つの上部部分を一緒に保持することができるように設けられている、請求項１に記載の可撓性バッグ。
【請求項６】
前記固定手段が、面ファスナ、テープ、接着剤、または雄／雌結合デバイスである、請求項１に記載の可撓性バッグ。
【請求項７】
上部部分及び下部部分を有し、前記上部部分の上面及び前記下部部分の底面が互いに対向する直平行六面体で構成され、空の場合には前記直平行六面体が折り畳まれている可撓性バッグを充填するための方法であって、
該可撓性バッグは、
前記上面に設けられた少なくとも１つの固定手段を備えており、
前記空の場合に、前記直平行六面体が折りたたまれて前記上部部分は２つの上部翼部を形成するようになっており、
前記方法は、
ａ）前記可撓性バッグの前記２つの上部翼部を、前記少なくとも１つの固定手段を使用することにより、前記下部部分から離れた状態で一緒に保持するステップ、および
ｂ）前記可撓性バッグを、前記下部部分が最初に充填されるように充填し、その後、前記下部部分のある量が充填されると、前記２つの上部翼部間の接触が自動的に開放され、前記上部部分が充填されるステップを含む方法。
【請求項８】
前記可撓性バッグを、前記充填の開始前に支持容器の内部に設置するステップを更に含む、請求項７に記載の方法。
【発明の詳細な説明】
【技術分野】
【０００１】
本発明は、可撓性バッグ、および可撓性バッグを流体で満たすための方法に関する。
【背景技術】
【０００２】
可撓性バッグは、例えば、バイオプロセスおよび食品産業において、様々なタイプの液体を保持するために使用される。多くの場合、可撓性バッグは、支持容器に設けられているか、または結合されている。
【０００３】
空の折り畳まれている可撓性バッグを充填する場合、バッグの他の部分による干渉のためバッグの一部が充填されないという問題が生ずる場合がある。これは、バッグ表面間の摩擦、およびバッグ表面と支持容器との摩擦により生じることがある。そのため、バッグの完全な膨張が妨げられる場合がある。
【先行技術文献】
【特許文献】
【０００４】
【特許文献１】欧州特許出願公開第１８０３６５７号明細書
【発明の概要】
【０００５】
本発明の目的は、手作業でのやりとりを必要とせずに、可撓性バッグを流体で満たすための方法を提供することである。
【０００６】
本発明の更なる目的は、手作業でのやりとりを必要とせずに、完全に充填することができる可撓性バッグを提供することである。
【０００７】
本発明の目的は、空の場合には折り畳まれている可撓性バッグであって、少なくとも１つの固定手段が、可撓性バッグの少なくとも２つの上部部分を、可撓性バッグの充填の第１の段階中、この少なくとも１つの固定手段により一緒に保持することができるように可撓性バッグの表面に設けられており、固定手段が、バッグがある量まで充填されると開放され、固定手段により一緒に保持されている２つの上部部分が接触を失うことになるように設計されている可撓性バッグにより達成される。
【０００８】
また、本発明の目的は、空の場合には折り畳まれている可撓性バッグを充填するための方法であって、
可撓性バッグの２つの上部部分を、可撓性バッグの表面に設けられている少なくとも１つの固定手段を使用することにより接続するステップ、
可撓性バッグを、バッグの底部部分が最初に充填されるように充填し、その後、底部部分のある量が充填されると、２つの上部部分間の接続が自動的に開放され、上部部分が充填されるステップを含む方法により達成される。
【０００９】
これにより、バッグの底部部分が最初に充填されることになり、その後、固定手段が開放されると、バッグの上部部分が充填されることになる。固定手段の開放は自動的であるため、充填中に手作業によるやりとりは必要ではない。底部部分が最初に充填される際は、底部部分の充填を妨げる可能性のある上部部分による干渉のおそれはない。これにより、バッグは完全に充填されることになる。
【００１０】
本発明の１つの実施形態では、少なくとも１対の係合固定手段は、可撓性バッグの少なくとも２つの上部部分を、この少なくとも１対の係合固定手段により一緒に保持することができるように、可撓性バッグの表面に設けられている。
【００１１】
本発明の１つの実施形態では、可撓性バッグは、直平行六面体である。
【００１２】
本発明の１つの実施形態では、上記可撓性バッグは、直平行六面体の２つの対向する側面で一緒に密閉されている４枚のシートで構成されており、空の段階では、可撓性バッグは、一緒に折り畳まれて２つの上部翼部および２つの底部翼部を示し、２つの上部翼部は、可撓性バッグを充満する前は固定手段で互いに固定されている。
【００１３】
本発明の１つの実施形態では、固定手段は、面ファスナ、テープ、接着剤、または雄／雌結合デバイスである。
【００１４】
本発明の１つの実施形態では、本方法は、可撓性バッグを、充填の開始前に支持容器の内部に設置するステップを更に含む。
【図面の簡単な説明】
【００１５】
【図１Ａ】本発明の１つの実施形態による可撓性バッグの模式図である。
【図１Ｂ】図１Ａに示されている可撓性バッグの上部または底部シートの模式図である。
【図１Ｃ】図１Ａに示されている可撓性バッグの側面シートの模式図である。
【図１Ｄ】空の折り畳み配置にある、図１Ａと同じ可撓性バッグの模式図である。
【図１Ｅ】空の折り畳み配置にあり、２つの上部部分が、固定手段により互いに固定されている、図１Ａと同じ可撓性バッグの模式図である。
【図１Ｆ】バッグの表面に１対の係合固定手段しか設けられていない、本発明の別の実施形態を示す図である。
【図１Ｇ】バッグの表面に１つの固定手段しか設けられてない、本発明の別の実施形態を示す図である。
【図２Ａ】本発明の別の実施形態による可撓性バッグの模式図である。
【図２Ｂ】本発明の別の実施形態による可撓性バッグの模式図である。
【図３】本発明の別の実施形態による可撓性バッグの模式図である。
【図４】本発明の別の実施形態による可撓性バッグの模式図である。
【図５】上記に示されている可撓性バッグのいずれか１つを設置することができる支持容器の模式図である。
【発明を実施するための形態】
【００１６】
本発明は、空に場合には折り畳まれている可撓性バッグに関する。少なくとも１つの固定手段が、可撓性バッグの少なくとも２つの上部部分を、可撓性バッグの充填の第１の段階中、この少なくとも１対の固定手段により一緒に保持することができるように、可撓性バッグの表面に設けられている。固定手段は、バッグがある量まで充填されると開放され、固定手段により一緒に保持されている２つの上部部分が、接触を失うことになるように設計されている。
【００１７】
図１Ａは、本発明の１つの実施形態による可撓性バッグの模式図である。このバッグは、立方体に近似するように示されているが、全ての側面が同じ大きさである必要はない。したがって、この例示的なバッグを、直平行六面体と呼ぶ。本発明のこの実施形態では、可撓性バッグは、直平行六面体の２つの対向密閉側面５、７で互いに密閉されている４枚のシートで製作されている。上部シート１１および底部シート１３は、同じ寸法を有し、各８つの密閉縁部１５を有する。直平行六面体へと密閉される前の上部シートおよび底部シートの形状は、図１Ｂに示されている。上部シートおよび底部シートは、中央部分１７が長方形であり、２つの対向同一側面部分１９が各々台形である形状を有する。この中央部分１７および２つの側面部分１９は、上部シートおよび底部シート１１、１３を形成する１つの連続したフィルム片として一体的に提供される。また、２つの側面シート２７、２９（図１Ｃに表示）は、同じ寸法を有するが、上部シートおよび底部シート１１、１３とは同じではない。側面シートは、各々わずか６つの密閉縁部３１しか有していない。密閉する前、平らにされている状態では、側面シート２７、２９は、中央部分３３が長方形であり、２つの対向同一側面部分３５が、各々中央部分からから離れる方向を指す三角形である形状を有する。これにより、２つの密閉側面５、７は、４枚の異なるシート１１、１３、２７、２９の台形および三角形の側面部分（１９、３５）で構成される。
【００１８】
固定手段は、本発明によると、可撓性バッグの少なくとも２つの上部部分を一緒に保持することができるように、可撓性バッグの表面に設けられている。この実施形態では、２対の係合固定手段４１ａ、４１ｂ、４２ａ、４２ｂが、可撓性バッグの上部表面に示されている。ここでは、上部表面は、上部シート１１の中央部分１７である。固定手段は、密閉縁部の近くに設けられている。この例では、面ファスナまたは雄／雌結合デバイス等の２対の係合固定手段が示されている。無論、図１Ｆに示されているように、中央にある１対の固定手段４１ａ、４１ｂのみ等、別の数の固定手段を設けることが可能である。必要に応じて、２つを超える固定手段も可能である。別の代替形態としては、上部シートの１つの側面にのみ固定手段を設けることだろう。そのような場合、固定手段は、それが係合することになる随意の表面と係合することになるテープまたは接着剤であってもよい。これは、図１Ｇの実施形態に示されている。ここでは、１つの固定手段４３が、可撓性バッグの上部部分の１つの側面に設けられているように示されているが、無論、その数は様々であってもよい。
【００１９】
図１Ｄは、空の折り畳み配置にある、図１Ａと同じ可撓性バッグの模式図である。この折り畳まれている折り畳み配置では、２つの底部翼部５１ａ、５１ｂおよび２つの上部翼部５３ａ、５３ｂが形成される。そのようなバッグを充填すると、２つの上部翼部が、底部翼部の前に充填され、バッグの充填が不完全になってしまうという問題が生じる場合がある。
【００２０】
図１Ｅは、２つの上部部分が、固定手段により互いに固定されており、空の折り畳み配置にある、図１Ａと同じ可撓性バッグの模式図である。この図では、固定手段４１ａ、４１ｂ、４２ａ、４２ｂが係合しており、２つの上部翼部（上部部分）５３ａ、５３ｂが共に保持されている。これにより、可撓性バッグの充填中、２つの底部翼部５１ａ、５１ｂの前に２つの上部翼部が充填されることになるというおそれがなくなる。
【００２１】
固定手段４１ａ、４１ｂ、４２ａ、４２ｂは、バッグがある量まで充填されると、互いから開放され（またはテープもしくは接着剤が使用される場合は、結合表面から）、固定手段により共に保持されている２つの上部部分が接触を失うことになるように設計されている。固定手段にかかる力は、充填中に増加することになり、固定手段は、底部翼部５１ａ、５１ｂがある量まで充填されると開放され、上部翼部５３ａ、５３ｂからの干渉のおそれがなくなるように設計されるべきである。
【００２２】
図２Ａは、本発明による可撓性バッグの別の実施形態の模式図である。図１Ａ〜１Ｇに示されている実施形態との唯一の差異は、方向性であり、つまり上部および底部シートと呼ばれるもの、ならびに側面シートと呼ばれるものである。図１Ａ〜１Ｇで規定されているような側面シートは、ここでは上部および底部シートであり、固定手段は、それらの１つに設けられている。
【００２３】
図２Ｂには、図１Ａ〜１Ｇの規定による密閉側面５、７が、上部および底部側面として設けられている図１Ａ〜１Ｇの代替形態が示されている。これにより、固定手段は、密閉側面に設けられる。
【００２４】
図３には、本発明を提供することができる別のタイプの可撓性バッグが示されている。これは、円柱状の可撓性バッグである。固定手段は、上部表面に設けられている。
【００２５】
図４には、４枚のシートの代わりに６枚の同一シートで構成されている、直平行六面体可撓性バッグの別のデザインが示されている。本発明による固定手段は、そのような可撓性バッグの上部側面に設けることができる。
【００２６】
図５は、支持体が必要な場合、上記に示されている可撓性バッグのいずれか１つを設置することができる支持容器５１の模式図である。支持容器５１は、可撓性バッグよりも硬質である。支持容器がないと、可撓性バッグ内部の流体の質量により、バッグが引き裂かれてしまうおそれがある。支持容器を使用する場合、可撓性バッグは、充填の開始前に支持容器５１の内部に設置される。
【００２７】
本発明の特定の実施形態が表示および記載されているが、本発明の教示から逸脱することなく変更および改変をなすことができることは、当業者であれば明白だろう。上述の説明および添付図面に示されている主題は、限定としてではなく、例示のために示されているに過ぎない。本発明の実際の範囲は、従来技術に基づき適切な観点で検討した場合の添付の特許請求の範囲に規定されることが意図されている。
【符号の説明】
【００２８】
５、７  対向密閉側面、密閉側面
１１  上部シート
１３  底部シート
１５、３１  密閉縁部
１７、３３  中央部分
１９、３５  対向同一側面部分、側面部分
２７、２９  側面シート
４１ａ、４１ｂ、４２ａ、４２ｂ  係合固定手段、固定手段
４３  固定手段
５１  支持容器
５１ａ、５１ｂ  底部翼部
５３ａ、５３ｂ  上部翼部
【図１Ａ】
0006567550.tif 000002
【図１Ｂ】
0006567550.tif 000003
【図１Ｃ】
0006567550.tif 000004
【図１Ｄ】
0006567550.tif 000005
【図１Ｅ】
0006567550.tif 000006
【図１Ｆ】
0006567550.tif 000007
【図１Ｇ】
0006567550.tif 000008
【図２Ａ】
0006567550.tif 000009
【図２Ｂ】
0006567550.tif 000010
【図３】
0006567550.tif 000011
【図４】
0006567550.tif 000012
【図５】
0006567550.tif 000013